【手続補正書】
【提出日】平成25年9月24日(2013.9.24)
【手続補正１】
【補正対象書類名】特許請求の範囲
【補正対象項目名】全文
【補正方法】変更
【補正の内容】
【特許請求の範囲】
【請求項１】
ナビゲーション又はマッピング装置であって、
ユーザに対してデジタル地図を表示するためのディスプレイと、
デジタル地図データにアクセスし且つ前記ディスプレイを使用してユーザに対してデジタル地図を表示させるように構成されたプロセッサと、
ユーザが前記装置と対話できるようにするために前記ユーザにより動作可能なユーザインタフェースとを備え、
前記ユーザインタフェースは、使用中にユーザが前記表示デジタル地図上で１つ以上の指示を提供することにより前記デジタル地図内に存在する連続領域を選択できるように構成され、
使用中に連続領域の選択がユーザから受信される場合、前記プロセッサは前記選択領域の少なくとも一部に対応するデジタル地図データを判定し且つ前記判定されたデジタル地図データを使用して前記選択領域に関する１つ以上の動作を実行するように構成されることを特徴とするナビゲーション又はマッピング装置。
【請求項２】
前記指示は、表示された前記デジタル地図上の境界の形態であるのが好ましく、前記プロセッサは、前記境界から前記境界及び前記境界により囲まれる領域を含む選択領域を推論することを特徴とする請求項１記載の装置。
【請求項３】
前記指示は、前記選択領域を範囲に含む前記表示デジタル地図上の形状の形態であり、前記選択領域の範囲を定義する境界を有することを特徴とする請求項１記載の装置。
【請求項４】
前記選択領域に含まれる場所に対応する前記デジタル地図データの部分集合を判定するように構成されることを特徴とする請求項１乃至３のいずれか１項に記載の装置。
【請求項５】
前記選択領域の前記指示は、前記ユーザにより前記表示地図上に描かれる形状又は線の形態であることを特徴とする請求項１乃至４のいずれか１項に記載の装置。
【請求項６】
前記ディスプレイは、タッチディスプレイであり、前記選択領域は、前記ユーザが前記ディスプレイの一部に触れることにより指示されることを特徴とする請求項１乃至５のいずれか１項に記載の装置。
【請求項７】
前記ディスプレイは、タッチディスプレイであり、前記装置は、前記ユーザが前記ディスプレイ上で実行されるシングル又はマルチタッチジェスチャを使用して前記選択領域を指示できるように構成されることを特徴とする請求項１乃至５のいずれか１項に記載の装置。
【請求項８】
前記プロセッサは、前記選択領域の指示を設定するために前記ユーザにより操作される境界のグラフィック表現を前記ユーザに対して前記表示地図上に提供するか又は大きさが変化する境界のグラフィック表現を前記表示地図上に提供するように構成され、前記ユーザは、前記境界が前記選択領域の前記指示を設定するのに望ましい大きさに達した時に前記装置に指示を提供することを特徴とする請求項１から４のいずれか１項に記載の装置。
【請求項９】
前記プロセッサは、選択領域の指示を設定したいという要求を示す入力を前記ユーザから受信し且つそのような指示に応答して前記表示された地図上で境界のグラフィック表現を前記ユーザに提供するように構成され、前記ユーザからの前記入力は、前記ディスプレイ上の離散的な点の指示を含むのが好ましく、前記プロセッサは、前記離散的な点を中心とする境界のグラフィック指示を提供するように構成されることを特徴とする請求項１乃至４のいずれか１項に記載の装置。
【請求項１０】
前記プロセッサは、前記判定されたデータを使用して、
前記選択領域内の所定の項目の探索、前記領域内の所定の変化に関する前記選択領域の監視、前記選択領域における所定のイベントの発生又は項目の存在の判定に関する警告の提供、ある特定の機能が前記装置により実行される領域の設定、あるいは前記選択領域に関するナビゲーションデータの表示のうちの１つ以上の動作を実行するように構成されることを特徴とする請求項１乃至９のいずれか１項に記載の装置。
【請求項１１】
ナビゲーション又はマッピング装置を動作する方法であって、
デジタル地図データにアクセスし且つデジタル地図を表示するために前記アクセスしたデジタル地図データを使用するステップと、
前記表示デジタル地図内に存在し且つ前記ユーザが前記表示デジタル地図上で１つ以上の指示を提供することにより選択される連続領域の選択を前記装置のユーザインタフェースを介してユーザから受信するステップと、
前記選択領域の少なくとも一部に対応するデジタル地図データを判定するステップと、
前記デジタル地図データを使用して前記選択領域に関する１つ以上の動作を実行するステップと、
を有する方法を実行するように前記ナビゲーション又はマッピング装置を制御することを特徴とする方法。
【請求項１２】
前記ユーザから受信される前記選択領域の前記指示は、表示された前記デジタル地図上の境界の形態であり、実行される方法は、前記境界から前記境界及び前記境界により囲まれる領域を含む選択領域を推論することを更に備え、あるいは、前記ユーザから受信される前記選択領域の前記指示は、前記選択領域を範囲に含み且つ前記選択領域の範囲を定義する境界を有する前記表示デジタル地図上の形状の形態であることを特徴とする請求項１１記載の方法。
【請求項１３】
前記ディスプレイはタッチディスプレイであり、前記選択領域は前記ユーザが前記ディスプレイの一部に触れることにより指示されることを特徴とする請求項１１又は１２記載の方法。
【請求項１４】
前記ディスプレイは、タッチディスプレイであり、前記ユーザから受信される前記選択領域の前記指示は、前記ディスプレイ上で実行されるシングル又はマルチタッチジェスチャの形態であり、実行される前記方法は前記ジェスチャから前記選択領域を推論することを更に備えることを特徴とする請求項１１又は１２記載の方法。
【請求項１５】
実行される前記方法は、前記選択領域の指示を設定するために前記ユーザにより操作される境界のグラフィック表現を前記表示地図上に提供するか又は大きさが変化する境界のグラフィック表現を前記表示地図上に提供することと、前記境界が前記選択領域の前記指示を設定するのに望ましい大きさに達した時に前記ユーザから指示を受信することとを有することを特徴とする請求項１１又は１２記載の方法。
【請求項１６】
実行される前記方法は、選択領域の指示を設定したいという要求を示す入力を前記ユーザから受信することと、そのような指示に応答して前記表示された地図上で境界のグラフィック表現を前記ユーザに提供することとを備え、前記ユーザからの前記入力は前記ディスプレイ上の離散的な点の指示を含み、前記方法は前記離散的な点を中心とする境界のグラフィック指示を提供することを有することを特徴とする請求項１１又は１２記載の方法。
【請求項１７】
実行される前記方法は、前記判定されたデジタルデータを使用して、
前記選択領域内の所定の項目の探索、前記領域内の所定の変化に関する前記選択領域の監視、前記選択領域における所定のイベントの発生又は項目の存在の判定に関する警告の提供、ある特定の機能が前記装置により実行される領域の設定、あるいは前記選択領域に関するナビゲーションデータの表示のうちの１つ以上の動作を有することを特徴とする請求項１１乃至１６のいずれか１項に記載の方法。
【請求項１８】
請求項１乃至１０のいずれか１項に記載の装置を備えることを特徴とするポータブルナビゲーション装置（ＰＮＤ）。
【請求項１９】
請求項１乃至１０のいずれか１項に記載の装置を備えることを特徴とする一体型ナビゲーションシステム。
【請求項２０】
請求項１１乃至１７のいずれか１項に記載の方法を実行するために実行可能なコンピュータ可読命令を含むことを特徴とするコンピュータプログラム。